【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
導電性支持体上に、該導電性支持体側から電荷発生層および電荷輸送層をこの順に積層してなる電子写真感光体において、
該電荷輸送層が、下記式（１）で示される繰り返し構造単位を含有するポリアリレート樹脂、および、下記式（Ａ）で示される電荷輸送性物質を含有し、かつ、
下記式（１）で示される繰り返し構造単位が、該ポリアリレート樹脂の全繰り返し構造単位中、モル比換算で６０〜１００％である
ことを特徴とする電子写真感光体。
【化１】
2007272175.tif 000001
（式（１）中、Ｒ１１〜Ｒ１８およびＲ２１〜Ｒ２８は、それぞれ独立に、水素原子、アルキル基、アリール基、または、アルコキシ基を示す。Ｘは、単結合、酸素原子、硫黄原子、または、下記式（２）で示される構造を有する２価の基を示す。
【化２】
2007272175.tif 000002
（式（２）中、Ｒ３１およびＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【化３】
2007272175.tif 000003
（式（Ａ）中、Ｒ４１〜Ｒ５０は、それぞれ独立に、水素原子、アルキル基、または、アルコキシ基を示し、Ａｒ１およびＡｒ２は、それぞれ独立に、置換基を有してもよい芳香族炭化水素基を示し、Ｙは、酸素原子、硫黄原子、または、下記式（Ｂ）で示される構造を有する２価の基を示す。
【化４】
2007272175.tif 000004
（式（Ｂ）中、Ｒ５１およびＲ５２は、それぞれ独立に、水素原子、アルキル基、フッ化アルキル基、アルコキシ基、または、アリール基を示す、あるいは、Ｒ５１とＲ５２とが結合して形成されるシクロアルキリデン基、または、フルオレニリデン基を示す。））
【請求項２】
前記電荷輸送層の６８０ｎｍの波長における透過率が９５％以上である請求項１に記載の電子写真感光体。
【請求項３】
前記式（Ａ）中のＹが、前記式（Ｂ）で示される構造を有する２価の基であり、前記式（Ｂ）中のＲ５１およびＲ５２が、Ｒ５１とＲ５２とが結合して形成されるシクロへキシリデン基である請求項１または２に記載の電子写真感光体。
【請求項４】
前記ポリアリレート樹脂に含有される前記式（１）で示される繰り返し構造単位が、前記ポリアリレート樹脂の全繰り返し構造単位中、モル比換算で８０〜１００％である請求項１〜３のいずれかに記載の電子写真感光体。
【請求項５】
前記ポリアリレート樹脂の重量平均分子量（Ｍｗ）が、８００００≦Ｍｗ≦３０００００である請求項１〜４のいずれかに記載の電子写真感光体。
【請求項６】
請求項１〜５のいずれかに記載の電子写真感光体、ならびに、帯電手段、現像手段およびクリーニング手段からなる群より選ばれた少なくとも１つの手段を一体に支持し、電子写真装置本体に着脱自在であることを特徴とするプロセスカートリッジ。
【請求項７】
請求項１〜５のいずれかに記載の電子写真感光体、帯電手段、露光手段、現像手段、転写手段およびクリーニング手段を有することを特徴とする電子写真装置。
【請求項８】
前記露光手段が、前記電子写真感光体に対して波長が３８０〜４５０ｎｍの光を露光光として照射するための手段である請求項７に記載の電子写真装置。
【手続補正２】
【補正対象書類名】明細書
【補正対象項目名】０００６
【補正方法】変更
【補正の内容】
【０００６】
さらなる画質の向上に関して、近年、出力画像の解像度をより一層高めるために、電子写真感光体に照射する露光光（画像露光光）として、従来用いられてきた光よりも波長の短い光（例えば波長が３８０〜４５０ｎｍの光）を用いることが提案されている（特許文献４）。また、特許文献３においては、特定構造の電荷輸送性物質を含有する感光体の短波長露光光への応用に関しても記載されている。
【手続補正３】
【補正対象書類名】明細書
【補正対象項目名】００１０
【補正方法】変更
【補正の内容】
【００１０】
さらに、高画質化に寄与できる短波長露光光への対応としては、特許文献５などに開示されているポリアリレート樹脂を電子写真感光体の表面層に用いた場合には、耐久性の高い電子写真感光体とすることができるものの、従来のポリアリレート樹脂と電荷輸送性物質を含有する層は、短波長の光、特に波長が３８０〜４５０ｎｍの光に対する透過率が比較的低く、電子写真感光体の感度が低下してしまう場合があった。特にポリアリレート樹脂の中でもその構成要素にテレフタル酸（フェニル基上のパラ位にジカルボン酸基を有する）部位を有するポリアリレート樹脂を表面層に含有した場合、３８０〜４５０ｎｍの光に対する透過率が低下する傾向にあった。この３８０〜４５０ｎｍの光に対する透過率の低下は、前述のポリアリレート樹脂自身の透過率が低い（光吸収が発生する）わけではなく、前述のポリアリレート樹脂中のテレフタル酸部位と感光体に使用される電荷輸送性物質との間の電荷移動によると考えられ、電荷輸送性物質の占有軌道（ＨＯＭＯ軌道）と比較的低い非占有軌道（ＬＵＭＯ軌道）を有するテレフタル酸との間での光電子移動に要因があると推測されている。
【手続補正４】
【補正対象書類名】明細書
【補正対象項目名】００１２
【補正方法】変更
【補正の内容】
【００１２】
本発明の目的は、耐久性が高く、かつ、高感度で、繰り返し使用時にも高い電位安定性を有し、露光光として短波長の光、特に波長が３８０〜４５０ｎｍの光を用いた場合であっても感度の低下が生じにくい電子写真感光体、ならびに、該電子写真感光体を有するプロセスカートリッジおよび電子写真装置を提供することにある。
【手続補正５】
【補正対象書類名】明細書
【補正対象項目名】００１３
【補正方法】変更
【補正の内容】
【００１３】
本発明は、導電性支持体上に、該導電性支持体側から電荷発生層および電荷輸送層をこの順に積層してなる電子写真感光体において、
該電荷輸送層が、下記式（１）で示される繰り返し構造単位を含有するポリアリレート樹脂、および、下記式（Ａ）で示される電荷輸送性物質を含有し、かつ、
下記式（１）で示される繰り返し構造単位が、該ポリアリレート樹脂の全繰り返し構造単位中、モル比換算で６０〜１００％である
ことを特徴とする電子写真感光体である。
【手続補正６】
【補正対象書類名】明細書
【補正対象項目名】００１４
【補正方法】変更
【補正の内容】
【００１４】
【化５】
2007272175.tif 000005
【手続補正７】
【補正対象書類名】明細書
【補正対象項目名】００１６
【補正方法】変更
【補正の内容】
【００１６】
【化６】
2007272175.tif 000006
【手続補正８】
【補正対象書類名】明細書
【補正対象項目名】００１７
【補正方法】変更
【補正の内容】
【００１７】
（式（２）中、Ｒ３１およびＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【手続補正９】
【補正対象書類名】明細書
【補正対象項目名】００１８
【補正方法】変更
【補正の内容】
【００１８】
【化７】
2007272175.tif 000007
【手続補正１０】
【補正対象書類名】明細書
【補正対象項目名】００２０
【補正方法】変更
【補正の内容】
【００２０】
【化８】
2007272175.tif 000008
【手続補正１１】
【補正対象書類名】明細書
【補正対象項目名】００２１
【補正方法】変更
【補正の内容】
【００２１】
（式（Ｂ）中、Ｒ５１およびＲ５２は、それぞれ独立に、水素原子、アルキル基、フッ化アルキル基、アルコキシ基、または、アリール基を示す、あるいは、Ｒ５１とＲ５２とが結合して形成されるシクロアルキリデン基、または、フルオレニリデン基を示す。））
【手続補正１２】
【補正対象書類名】明細書
【補正対象項目名】００２４
【補正方法】変更
【補正の内容】
【００２４】
また、本発明によれば、露光光として短波長の光、特に波長が３８０〜４５０ｎｍの光を用いた場合であっても感度の低下が生じにくい電子写真感光体、ならびに、該電子写真感光体を有するプロセスカートリッジおよび電子写真装置を提供することができる。
【手続補正１３】
【補正対象書類名】明細書
【補正対象項目名】００２５
【補正方法】変更
【補正の内容】
【００２５】
本発明の電子写真感光体は、上述のとおり、導電性支持体上に、該導電性支持体側から電荷発生層および電荷輸送層をこの順に積層してなる電子写真感光体において、
該電荷輸送層が、下記式（１）で示される繰り返し構造単位を含有するポリアリレート樹脂、および、下記式（Ａ）で示される電荷輸送性物質を含有し、かつ、
下記式（１）で示される繰り返し構造単位が、該ポリアリレート樹脂の全繰り返し構造単位中、モル比換算で６０〜１００％であることを特徴とする。
【手続補正１４】
【補正対象書類名】明細書
【補正対象項目名】００２６
【補正方法】変更
【補正の内容】
【００２６】
【化９】
2007272175.tif 000009
【手続補正１５】
【補正対象書類名】明細書
【補正対象項目名】００２８
【補正方法】変更
【補正の内容】
【００２８】
【化１０】
2007272175.tif 000010
【手続補正１６】
【補正対象書類名】明細書
【補正対象項目名】００２９
【補正方法】変更
【補正の内容】
【００２９】
（式（２）中、Ｒ３１およびＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【手続補正１７】
【補正対象書類名】明細書
【補正対象項目名】００３０
【補正方法】変更
【補正の内容】
【００３０】
【化１１】
2007272175.tif 000011
【手続補正１８】
【補正対象書類名】明細書
【補正対象項目名】００３２
【補正方法】変更
【補正の内容】
【００３２】
【化１２】
2007272175.tif 000012
【手続補正１９】
【補正対象書類名】明細書
【補正対象項目名】００３３
【補正方法】変更
【補正の内容】
【００３３】
（式（Ｂ）中、Ｒ５１およびＲ５２は、それぞれ独立に、水素原子、アルキル基、フッ化アルキル基、アルコキシ基、または、アリール基を示す、あるいは、Ｒ５１とＲ５２とが結合して形成されるシクロアルキリデン基、または、フルオレニリデン基を示す。））
【手続補正２０】
【補正対象書類名】明細書
【補正対象項目名】００３８
【補正方法】変更
【補正の内容】
【００３８】
上記式（Ａ）中のＡｒ１およびＡｒ２の、置換基を有してもよい芳香族炭化水素基としては、アリール基、ビフェニル基、ナフチル基、フルオレニル基、ジベンゾフラニル基、ジベンゾチオフェニル基などが挙げられる。これらの中でも、アリール基、ビフェニル基、フルオレニル基が好ましい。これら芳香族炭化水素基が有する置換基としては、アルキル基、アルコキシ基が挙げられ、アルキル基としてはメチル基、エチル基、プロピル基、ブチル基、アルコキシ基としては、メトキシ基、エトキシ基、プロポキシ基などが挙げられ、中でも、メチル基、エチル基が好ましい。
【手続補正２１】
【補正対象書類名】明細書
【補正対象項目名】００５８
【補正方法】変更
【補正の内容】
【００５８】
本発明の電子写真感光体の電荷輸送層に用いられる上記式（１）で示される繰り返し構造単位を有するポリアリレート樹脂は、上記式（１）で示される繰り返し構造単位がポリアリレート樹脂中の全繰り返し構造単位中、モル比換算で６０〜１００％である。さらには全繰り返し構造単位中、モル比換算で８０％以上であること、特には全繰り返し構造単位中、モル比換算で９０％以上であることが機械的強度の向上といった点で好ましい。
【手続補正２２】
【補正対象書類名】明細書
【補正対象項目名】０１２１
【補正方法】変更
【補正の内容】
【０１２１】
（合成例３）
以下に、合成例として、ポリアリレート樹脂中の全繰り返し構造単位中、モル比換算で７０％が上記式（１−２）で示される繰り返し構造単位であり、３０％が上記式（３−１３）で示される繰り返し構造単位であるポリアリレート樹脂の合成方法を示す。
【手続補正２３】
【補正対象書類名】明細書
【補正対象項目名】０１３２
【補正方法】変更
【補正の内容】
【０１３２】
洗浄後、攪拌下のメタノールに滴下して、重合物を沈殿させ、この重合物を真空乾燥させて、ポリアリレート樹脂中の全繰り返し構造単位中、モル比換算で７０％が上記式（１−２）で示される繰り返し構造単位であり、３０％が上記式（３−１３）で示される繰り返し構造単位であるポリアリレート樹脂を得た。このポリアリレート樹脂のポリスチレン換算重量平均分子量（以下、重量平均分子量（Ｍｗ）と記載する）は、１２００００であった。
【手続補正２４】
【補正対象書類名】明細書
【補正対象項目名】０１８２
【補正方法】変更
【補正の内容】
【０１８２】
本発明の電子写真感光体は、電荷輸送層が少なくとも上記式（１）で示される繰り返し構造単位を含有するポリアリレート樹脂、および上記式（４）で示される電荷輸送性物質を含有し、かつ、上記式（１）で示される繰り返し構造単位が、ポリアリレート樹脂の全繰り返し構造単位中、モル比換算で６０〜１００％である電子写真感光体である。さらに電子写真感光体の特性向上のために電荷輸送層の透過率が電荷輸送層の６８０ｎｍの波長における透過率が９５％以上であることが好ましい。本発明における電荷輸送層の６８０ｎｍの波長における透過率とは、膜厚１０μｍの電荷輸送層を構成している樹脂を対照にした場合の、同膜厚の本発明の電荷輸送層の透過率を示している。一般的な感光体に使用される電荷輸送性物質は６８０ｎｍの波長には、電荷輸送性物質自身の吸収は持たないため、電荷輸送層の６８０ｎｍの波長での透過率が低いということは、電荷輸送層に凝集あるいは表面荒れといった要因による光の散乱による透過率低下、または、電荷輸送性物質とバインダーとの相溶性低下による白濁による光散乱（透過率低下）が発生していることを示している。本発明の電子写真感光体の電荷輸送層では、電荷輸送層の表面荒れなどによる散乱、電荷輸送性物質とバインダーとの相溶性低下による白濁といった要因による透過率の低下が発生せず、高い透過率の電荷輸送層が作製される。
【手続補正２５】
【補正対象書類名】明細書
【補正対象項目名】０２００
【補正方法】変更
【補正の内容】
【０２００】
本発明の電荷輸送層には、結着樹脂として、少なくとも、上記式（１）で示される繰り返し構造単位をポリアリレート樹脂の全繰り返し構造単位中、モル比換算で６０〜１００％含有するポリアリレート樹脂が用いられる。本発明の効果を損なわない範囲で、以下に例示する他の樹脂を併用することもできるが、その場合は、電荷輸送層における上記式（１）で示される繰り返し構造単位をポリアリレート樹脂の全繰り返し構造単位中、モル比換算で６０〜１００％含有するポリアリレート樹脂の割合は、電荷輸送層に含有される結着樹脂の全質量に対して５０質量％以上であることが好ましい。さらには７０質量％以上であることが好ましい。併用可能な樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ブチラール樹脂、ポリアクリルアミド樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルブチラール樹脂、ポリフェニレンオキシド樹脂、ポリブタジエン樹脂、ポリプロピレン樹脂、メタクリル樹脂、ユリア樹脂、塩化ビニル樹脂、酢酸ビニル樹脂などが挙げられる。特には、ポリアリレート樹脂、ポリカーボネート樹脂などが好ましい。これらは単独、混合または共重合体として１種または２種以上用いることができる。
【手続補正２６】
【補正対象書類名】明細書
【補正対象項目名】０２０１
【補正方法】変更
【補正の内容】
【０２０１】
また、電荷輸送性物質として、少なくとも上記式（Ａ）で示される電荷輸送性物質を含有する。本発明の効果を損なわない範囲で、以下に示す他の電荷輸送性物質を併用することも可能である。併用可能な電荷輸送性物質としては、本発明の上記式（Ａ）で示される電荷輸送性物質を除くトリアリールアミン化合物、ヒドラゾン化合物、スチリル化合物、スチルベン化合物、ピラゾリン化合物、オキサゾール化合物、チアゾール化合物、トリアリールメタン化合物などが挙げられる。
【手続補正２７】
【補正対象書類名】明細書
【補正対象項目名】０２０３
【補正方法】変更
【補正の内容】
【０２０３】
本発明による電子写真感光体の電荷輸送層の作製に使用する溶媒としては、アセトン、メチルエチルケトンなどのケトン系溶剤、酢酸メチル、酢酸エチルなどのエステル系溶剤；トルエン、キシレン、クロロベンゼンなどの芳香族炭化水素溶剤；１，４−ジオキサン、テトラヒドロフランなどのエーテル系溶剤；ハロゲン原子で置換されたクロロホルムなどの炭化水素溶剤；などが用いられる。これら溶剤は、単独で使用してもよく、２種類以上を混合して使用してもよい。これらの溶剤のなかでも、樹脂溶解性などの点で、エーテル系溶剤または芳香族炭化水素溶剤を使用することが好ましい。電荷輸送層の作製の際、これらの溶剤を、上記式（１）に示す繰り返し構造単位を有するポリアリレート樹脂および上記式（Ａ）で示される電荷輸送性物質と組み合せて用いることにより、塗工性に優れ、繰り返し使用時にも電位変動を生じにくい電子写真感光体が得られる。